【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
（ｉ）少なくとも１つの引火性冷媒と；
（ｉｉ）少なくとも１つの火災危険減少剤と
を含むことを特徴とする組成物。
【請求項２】
（ｉ）引火性冷媒と共に使用するのに適している火災危険減少剤と；
（ｉｉ）冷凍または空調装置で使用するのに適している潤滑剤と
を含むことを特徴とする組成物。
【請求項３】
冷凍装置または空調装置における火災危険を低減する方法であって、請求項１または２に記載の組成物を前記冷凍装置または空調装置中に導入する工程を含むことを特徴とする方法。
【請求項４】
引火性冷媒における火災危険を低減する方法であって、請求項２に記載の組成物と引火性冷媒を合わせる工程を含むことを特徴とする方法。
【請求項５】
冷凍または空調装置中の、または冷凍または空調装置の付近での火災危険を低減する方法であって：
（ｉ）火災危険減少剤を引火性冷媒と合わせる工程；または
（ｉｉ）火災危険減少剤を潤滑剤と合わせ；そして冷凍または空調装置中にいずれかの混合物を導入する工程；または
（ｉｉｉ）冷凍または空調装置中に直接、火災減少剤を導入する工程
を含むことを特徴とする方法。
【請求項６】
冷凍または空調装置において火災危険減少剤を使用する方法であって：
（ｉ）冷凍または空調装置での使用に適した引火性冷媒と、前記薬剤を合わせる工程；または
（ｉｉ）冷凍または空調装置での使用に適した潤滑剤と、前記薬剤を合わせる工程；または
（ｉｉｉ）冷凍または空調装置中に前記薬剤を導入する工程
を含むことを特徴とする方法。
【請求項７】
冷凍または空調装置において引火性冷媒を使用する方法であって、引火性冷媒を火災危険減少剤と合わせる工程を含むことを特徴とする方法。
【手続補正２】
【補正対象書類名】明細書
【補正対象項目名】００８３
【補正方法】変更
【補正の内容】
【００８３】
この結果から、炎の長さおよび強さが低減されることが示されており、２つの場合には、火災危険減少剤をＨＦＣ−１５２ａおよびＰＡＧ  ＲＬ−４８８に添加することによって炎が排除される。
以下に、本発明の好ましい態様を示す。
［１］  （ｉ）少なくとも１つの引火性冷媒と；
（ｉｉ）少なくとも１つの火災危険減少剤と
を含むことを特徴とする組成物。
［２］  前記引火性冷媒が、ヒドロフルオロカーボン、フルオロエーテル、炭化水素エーテル、炭化水素、二酸化炭素、アンモニアおよびその混合物からなる群から選択されることを特徴とする［１］に記載の組成物。
［３］  前記引火性冷媒が混合物であり、前記混合物が少なくとも１つの非引火性冷媒を含むことを特徴とする［１］に記載の組成物。
［４］  冷凍または空調装置で使用するのに適している少なくとも１つの潤滑剤をさらに含むことを特徴とする［１］に記載の組成物。
［５］腐食防止剤、耐摩耗剤、安定剤および潤滑添加剤からなる群から選択される少なくとも１つの添加剤をさらに含むことを特徴とする［１］または［２］に記載の組成物。
［６］  （ｉ）引火性冷媒と共に使用するのに適している火災危険減少剤と；
（ｉｉ）冷凍または空調装置で使用するのに適している潤滑剤と
を含むことを特徴とする組成物。
［７］  前記火災危険減少剤が、酢酸塩、ホウ酸塩、炭酸塩、重炭酸塩、リン酸塩、硝酸塩、水酸化物、酸化物、モリブデン酸塩、臭化物、臭素酸塩、塩素酸塩、塩化物、ヨウ化物、リン酸エステル、有機ホスホネート、ホスホニウム塩、ホウ酸、有機ホウ素化合物、臭素化化合物、塩素化パラフィン、ポリリン酸アンモニウム、メラミン、水とポリアルキレングリコールまたはポリオールエステルとの混合物、過フッ素化潤滑剤、フルオロケトン、フルオロヨード化合物、およびその混合物からなる群から選択されることを特徴とする［１］または［６］に記載の組成物。
［８］前記火災危険減少剤が、フルオロケトンであることを特徴とする［１］または［６］に記載の組成物。
［９］前記火災危険減少剤が、１，１，１，２，２，４，５，５，５−ノナフルオロ−４−（トリフルオロメチル）−３−ペンタノンであることを特徴とする［１］または［６］に記載の組成物。
［１０］  前記火災危険減少剤が、アルキル化トリアリールホスフェートであることを特徴とする［１］または［６］に記載の組成物。
［１１］  前記火災危険減少剤が、ブチル化トリフェニルホスフェートであることを特徴とする［１］または［６］に記載の組成物。
［１２］  前記火災危険減少剤が、イソプロピル化トリフェニルホスフェートであることを特徴とする［１］または［６］に記載の組成物。
［１３］  前記火災危険減少剤が、酸化物塩であることを特徴とする［１］または［６］に記載の組成物。
［１４］  前記火災危険減少剤が、五酸化アンチモンであることを特徴とする［１］または［６］に記載の組成物。
［１５］  前記火災危険減少剤が、炭酸塩であることを特徴とする［１］または［６］に記載の組成物。
［１６］  前記火災危険減少剤が、炭酸鉄（ＩＩ）であることを特徴とする［１］または［６］に記載の組成物。
［１７］  前記潤滑剤が、鉱油、パラフィン類、ナフテン類、合成パラフィン類、アルキルベンゼン類、ポリ−α−オレフィン類、ポリアルキレングリコール類、ポリビニルエーテル類、ポリオールエステル類およびその混合物からなる群から選択されることを特徴とする［４］または［６］に記載の組成物。
［１８］  冷凍装置または空調装置における火災危険を低減する方法であって、［１］、［２］または［６］に記載の組成物を前記冷凍装置または空調装置中に導入する工程を含むことを特徴とする方法。
［１９］  引火性冷媒における火災危険を低減する方法であって、［６］に記載の組成物と引火性冷媒を合わせる工程を含むことを特徴とする方法。
［２０］  冷凍または空調装置中の、または冷凍または空調装置の付近での火災危険を低減する方法であって：
（ｉ）火災危険減少剤を引火性冷媒と合わせる工程；または
（ｉｉ）火災危険減少剤を潤滑剤と合わせ；そして冷凍または空調装置中にいずれかの混合物を導入する工程；または
（ｉｉｉ）冷凍または空調装置中に直接、火災減少剤を導入する工程
を含むことを特徴とする方法。
［２１］  前記組成物が、据え付け式または移動冷凍または空調装置における冷媒の代替品として適していることを特徴とする［１］、［２］または［６］に記載の組成物。
［２２］  引火性冷媒Ｒ−３２がＲ−４１０Ａに取って代わることを特徴とする［１］、［２］または［６］に記載の組成物。
［２３］  引火性冷媒Ｒ−１５２ａがＲ−１３４ａに取って代わることを特徴とする［１］、［２］または［６］に記載の組成物。
［２４］  移動空調装置において、冷媒Ｒ−１５２ａがＲ−１３４ａに取って代わることを特徴とする［１］、［２］または［６］に記載の組成物。
［２５］  冷凍または空調装置において火災危険減少剤を使用する方法であって：
（ｉ）冷凍または空調装置での使用に適した引火性冷媒と、前記薬剤を合わせる工程；または
（ｉｉ）冷凍または空調装置での使用に適した潤滑剤と、前記薬剤を合わせる工程；または
（ｉｉｉ）冷凍または空調装置中に前記薬剤を導入する工程
を含むことを特徴とする方法。
［２６］  冷凍または空調装置において引火性冷媒を使用する方法であって、引火性冷媒を火災危険減少剤と合わせる工程を含むことを特徴とする方法。
［２７］  前記引火性冷媒がＲ−１５２ａを含むことを特徴とする［２５］に記載の方法。
［２８］  前記引火性冷媒がＲ−３２を含むことを特徴とする［２５］に記載の方法。
［２９］  前記火災危険減少剤が、酢酸塩、ホウ酸塩、炭酸塩、重炭酸塩、リン酸塩、硝酸塩、水酸化物、酸化物、モリブデン酸塩、臭化物、臭素酸塩、塩素酸塩、塩化物、ヨウ化物、リン酸エステル、有機ホスホネート、ホスホニウム塩、ホウ酸、有機ホウ素化合物、臭素化化合物、塩素化パラフィン、ポリリン酸アンモニウム、メラミン、水とポリアルキレングリコールまたはポリオールエステルとの混合物、過フッ素化潤滑剤、フルオロケトン、フルオロヨード化合物、およびその混合物からなる群から選択されることを特徴とする［２５］に記載の方法。
［３０］  前記火災危険減少剤が、フルオロケトンであることを特徴とする［２５］に記載の方法。
［３１］  前記火災危険減少剤が、１，１，１，２，２，４，５，５，５−ノナフルオロ−４−（トリフルオロメチル）−３−ペンタノンであることを特徴とする［２５］に記載の方法。
［３２］  前記火災危険減少剤が、アルキル化トリアリールホスフェートであることを特徴とする［２５］に記載の方法。
［３３］  前記火災危険減少剤が、ブチル化トリフェニルホスフェートであることを特徴とする［２５］に記載の方法。
［３４］  前記火災危険減少剤が、イソプロピル化トリフェニルホスフェートであることを特徴とする［２５］に記載の方法。
［３５］  前記火災危険減少剤が、酸化物塩であることを特徴とする［２５］に記載の方法。
［３６］  前記火災危険減少剤が、五酸化アンチモンであることを特徴とする［２５］に記載の方法。
［３７］  前記火災危険減少剤が、炭酸塩であることを特徴とする［２５］に記載の方法。
［３８］  前記火災危険減少剤が、炭酸鉄（ＩＩ）であることを特徴とする［２５］に記載の方法。